(57)【要約】【課題】  時間、場所に制限なく手軽にカラーコーディネートを受ける。【解決手段】  携帯電話１からネットワーク２を介してサーバ３にアクセスすることによりカラーコーディネートを受ける際に、サーバ３からネットワーク２を介して携帯電話1に送信された質問事項に対してユーザが回答し、携帯電話１からネットワーク２を介してサーバ３に回答が送信される。その回答に基づいてサーバ３ではカラー診断が行われ、診断結果がサーバ３からネットワーク２を介して携帯電話１に送信される。携帯電話１では受信された診断結果を画面表示し、保存する。保存した結果を時間場所に制限なく、ユーザの必要なときに画面表示する。【選択図】図１
2006040105.tif 000002
【特許請求の範囲】
【請求項１】
ネットワークに接続可能に構成された通信端末に入力された条件をネットワークを介して送信し、前記条件に基づいてカラー診断を行うカラー診断方法であって、
前記通信端末に入力された条件をネットワークを介して送信する処理と、
ネットワークを介して送信されてきた条件に合った系統の色を判断する処理と、
前記判断された系統の色を示す情報をネットワークを介して前記通信端末に送信する処理と、
ネットワークを介して送信されてきた情報を前記通信端末に保存する処理とを有するカラー診断方法。
【請求項２】
請求項１に記載のカラー診断方法において、
前記判断された系統の色の色見本を第１のデータベースから抽出する処理と、
前記第１のデータベースから抽出された色見本をネットワークを介して前記通信端末に送信する処理と、
ネットワークを介して送信されてきた色見本を前記通信端末に保存する処理とを有することを特徴とするカラー診断方法。
【請求項３】
請求項１または請求項２に記載のカラー診断方法において、
前記判断された系統の色を有する商品情報を第２のデータベースから抽出する処理と、
前記第２のデータベースから抽出された商品情報をネットワークを介して前記通信端末に送信する処理と、
ネットワークを介して送信されてきた商品情報を前記通信端末に保存する処理とを有することを特徴とするカラー診断方法。
【請求項４】
ネットワークに接続可能な通信端末と、ネットワークを介して前記通信端末と接続可能に構成され、前記通信端末に入力された条件に基づいてカラー診断を行うサーバとを有してなるカラー診断システムにおいて、
前記サーバは、
前記通信端末に入力され、ネットワークを介して送信されてきた条件に合った系統の色を判断するカラー診断手段と、
前記カラー診断手段にて判断された系統の色を示す情報をネットワークを介して前記通信端末に送信する送受信手段とを有し、
前記通信端末は、前記診断手段からネットワークを介して送信されてきた情報を当該通信端末内に保存することを特徴とするカラー診断システム。
【請求項５】
請求項４に記載のカラー診断システムにおいて、
前記サーバは、
前記条件を指定するための質問事項を提供する質問情報管理手段を有し、
前記送受信手段は、前記質問情報管理手段から提供される質問事項が掲載された情報画面を前記通信端末に送信することを特徴とするカラー診断システム。
【請求項６】
請求項４または請求項５に記載のカラー診断システムにおいて、
前記サーバは、
前記カラー診断手段にて判断された系統の色の色見本を第１のデータベースから抽出する色見本管理手段を有し、
前記送受信手段は、前記色見本管理手段にて前記第１のデータベースから抽出された色見本をネットワークを介して前記通信端末に送信し、
前記通信端末は、ネットワークを介して送信されてきた色見本を当該通信端末内に保存することを特徴とするカラー診断システム。
【請求項７】
請求項４乃至６のいずれか１項に記載のカラー診断システムにおいて、
前記サーバは、
前記カラー診断手段にて判断された系統の色を有する商品情報を第２のデータベースから抽出する商品情報管理手段を有し、
前記送受信手段は、前記商品情報管理手段にて前記第２のデータベースから抽出された商品情報をネットワークを介して前記通信端末に送信し、
前記通信端末は、ネットワークを介して送信されてきた商品情報を当該通信端末内に保存することを特徴とするカラー診断システム。
【請求項８】
ネットワークを介して通信端末と接続可能に構成され、前記通信端末に入力された条件に基づいてカラー診断を行うサーバであって、
前記通信端末に入力され、ネットワークを介して送信されてきた条件に合った系統の色を判断するカラー診断手段と、
前記カラー診断手段にて判断された系統の色を示す情報をネットワークを介して前記通信端末に送信する送受信手段とを有するサーバ。
【請求項９】
請求項８に記載のサーバにおいて、
前記条件を指定するための質問事項を提供する質問情報管理手段を有し、
前記送受信手段は、前記質問情報管理手段から提供される質問事項が掲載された情報画面を前記通信端末に送信することを特徴とするサーバ。
【請求項１０】
請求項８または請求項９に記載のサーバにおいて、
前記カラー診断手段にて判断された系統の色の色見本を第１のデータベースから抽出する色見本管理手段を有し、
前記送受信手段は、前記色見本管理手段にて前記第１のデータベースから抽出された色見本をネットワークを介して前記通信端末に送信することを特徴とするサーバ。
【請求項１１】
請求項８乃至１０のいずれか１項に記載のサーバにおいて、
前記カラー診断手段にて判断された系統の色を有する商品情報を第２のデータベースから抽出する商品情報管理手段を有し、
前記送受信手段は、前記商品情報管理手段にて前記第２のデータベースから抽出された商品情報をネットワークを介して前記通信端末に送信することを特徴とするサーバ。
【請求項１２】
カラー診断を行うための条件が入力可能に構成され、前記条件が入力された場合に該条件をネットワークを介して送信する通信端末において、
前記条件に合った系統の色を示す情報がネットワークを介して送信されてきた場合、該色情報を当該通信端末内に保存することを特徴とする通信端末。
【請求項１３】
請求項１２に記載の通信端末において、
前記条件に合った系統の色の色見本がネットワークを介して送信されてきた場合、該色見本を当該通信端末内に保存することを特徴とする通信端末。
【請求項１４】
請求項１２または請求項１３に記載の通信端末において、
前記条件に合った系統の色を有する商品情報がネットワークを介して送信されてきた場合、該商品情報を当該通信端末内に保存することを特徴とする通信端末。
【発明の詳細な説明】
【技術分野】
【０００１】
本発明は、提示された条件に基づいてカラーコーディネート（カラー診断）を行うカラー診断方法、およびカラー診断システムに関し、特に、ネットワークを介してカラーコーディネートを行うカラー診断方法、およびカラー診断システムに関する。
【背景技術】
【０００２】
従来より、カラーコーディネートを行う際に、ユーザの趣味、肌の色および髪の色等から適合した配色が判断され、判断された配色が一覧となった色見本が使用されているが、ユーザに似合う色の組み合わせを判断するためには、専門的知識が必要とされる。そのため、上述したような色見本においては、ユーザと専門的知識を有するカラーコーディネータとが対面式に診断を行い、カラーコーディネータによってユーザに対する診断結果から配色が判断され、判断された配色が一覧となったものとしてユーザに配布されている。
【０００３】
また、近年においては、上述したような診断を、インターネットを用いて行う方法も採用されており、その場合、ユーザの色情報として、ユーザの肌・目・髪などのパーツに基づいて診断を行うため、ユーザの画像データをサーバに送り、サーバに蓄積されたプログラムにより、適合した配色が決定、提供されている（例えば、特許文献１参照。）。
【０００４】
さらに、ユーザの好みの配色をサーバに送ることによって、サーバに蓄積したプログラムにより、ユーザの好みにも合った配色が決定、提供される仕組みも考えられている（例えば、特許文献２参照。）。
【特許文献１】特開２００４−１１８４４４号公報
【特許文献２】特開２００２−０８３０３５号公報
【発明の開示】
【発明が解決しようとする課題】
【０００５】
上述したように、ユーザの趣味、肌の色あるいは髪の色等の条件から適合した配色を判断することは容易ではなく、専門的知識を持ったカラーコーディネータが必要となる。
【０００６】
しかしながら、熟練したカラーコーディネータとなるためには長期に渡る学習と経験が要求されるため、カラーコーディネータは慢性的に不足し、常駐できるカラーコーディネータがいない現場が多数となり、対応が困難となっている。そのため、カラーコーディネータのスケジュールの調整も容易ではなく、診断場所も限られてしまい、カラーコーディネートを行うための時間と場所が制限されてしまうという問題点がある。
【０００７】
また、インターネットを用いた診断方法では、携帯電話を用いて行うことにより、上述したようにカラーコーディネートを行うための場所が制限されてしまうことが回避されるものの、色見本が必要なときにその都度インターネットにアクセスする必要があり、時間的な手間および通信費がかかってしまうという問題点がある。
【０００８】
本発明は、上述したような従来の技術が有する問題点に鑑みてなされたものであって、時間、場所に制限なく手軽にカラーコーディネートを受けることができるカラー診断方法、カラー診断システム、ならびにサーバおよび通信端末を提供することを目的とする。
【課題を解決するための手段】
【０００９】
上記目的を達成するために本発明は、
ネットワークに接続可能に構成された通信端末に入力された条件をネットワークを介して送信し、前記条件に基づいてカラー診断を行うカラー診断方法であって、
前記通信端末に入力された条件をネットワークを介して送信する処理と、
ネットワークを介して送信されてきた条件に合った系統の色を判断する処理と、
前記判断された系統の色を示す情報をネットワークを介して前記通信端末に送信する処理と、
ネットワークを介して送信されてきた情報を前記通信端末に保存する処理とを有する。
【００１０】
また、前記判断された系統の色の色見本を第１のデータベースから抽出する処理と、
前記第１のデータベースから抽出された色見本をネットワークを介して前記通信端末に送信する処理と、
ネットワークを介して送信されてきた色見本を前記通信端末に保存する処理とを有することを特徴とする。
【００１１】
また、前記判断された系統の色を有する商品情報を第２のデータベースから抽出する処理と、
前記第２のデータベースから抽出された商品情報をネットワークを介して前記通信端末に送信する処理と、
ネットワークを介して送信されてきた商品情報を前記通信端末に保存する処理とを有することを特徴とする。
【００１２】
また、ネットワークに接続可能な通信端末と、ネットワークを介して前記通信端末と接続可能に構成され、前記通信端末に入力された条件に基づいてカラー診断を行うサーバとを有してなるカラー診断システムにおいて、
前記サーバは、
前記通信端末に入力され、ネットワークを介して送信されてきた条件に合った系統の色を判断するカラー診断手段と、
前記カラー診断手段にて判断された系統の色を示す情報をネットワークを介して前記通信端末に送信する送受信手段とを有し、
前記通信端末は、前記診断手段からネットワークを介して送信されてきた情報を当該通信端末内に保存することを特徴とする。
【００１３】
また、前記サーバは、
前記条件を指定するための質問事項を提供する質問情報管理手段を有し、
前記送受信手段は、前記質問情報管理手段から提供される質問事項が掲載された情報画面を前記通信端末に送信することを特徴とする。
【００１４】
また、前記サーバは、
前記カラー診断手段にて判断された系統の色の色見本を第１のデータベースから抽出する色見本管理手段を有し、
前記送受信手段は、前記色見本管理手段にて前記第１のデータベースから抽出された色見本をネットワークを介して前記通信端末に送信し、
前記通信端末は、ネットワークを介して送信されてきた色見本を当該通信端末内に保存することを特徴とする。
【００１５】
また、前記サーバは、
前記カラー診断手段にて判断された系統の色を有する商品情報を第２のデータベースから抽出する商品情報管理手段を有し、
前記送受信手段は、前記商品情報管理手段にて前記第２のデータベースから抽出された商品情報をネットワークを介して前記通信端末に送信し、
前記通信端末は、ネットワークを介して送信されてきた商品情報を当該通信端末内に保存することを特徴とする。
【００１６】
また、ネットワークを介して通信端末と接続可能に構成され、前記通信端末に入力された条件に基づいてカラー診断を行うサーバであって、
前記通信端末に入力され、ネットワークを介して送信されてきた条件に合った系統の色を判断するカラー診断手段と、
前記カラー診断手段にて判断された系統の色を示す情報をネットワークを介して前記通信端末に送信する送受信手段とを有する。
【００１７】
また、前記条件を指定するための質問事項を提供する質問情報管理手段を有し、
前記送受信手段は、前記質問情報管理手段から提供される質問事項が掲載された情報画面を前記通信端末に送信することを特徴とする。
【００１８】
また、前記カラー診断手段にて判断された系統の色の色見本を第１のデータベースから抽出する色見本管理手段を有し、
前記送受信手段は、前記色見本管理手段にて前記第１のデータベースから抽出された色見本をネットワークを介して前記通信端末に送信することを特徴とする。
【００１９】
また、前記カラー診断手段にて判断された系統の色を有する商品情報を第２のデータベースから抽出する商品情報管理手段を有し、
前記送受信手段は、前記商品情報管理手段にて前記第２のデータベースから抽出された商品情報をネットワークを介して前記通信端末に送信することを特徴とする。
【００２０】
また、カラー診断を行うための条件が入力可能に構成され、前記条件が入力された場合に該条件をネットワークを介して送信する通信端末において、
前記条件に合った系統の色を示す情報がネットワークを介して送信されてきた場合、該色情報を当該通信端末内に保存することを特徴とする。
【００２１】
また、前記条件に合った系統の色の色見本がネットワークを介して送信されてきた場合、該色見本を当該通信端末内に保存することを特徴とする。
【００２２】
また、前記条件に合った系統の色を有する商品情報がネットワークを介して送信されてきた場合、該商品情報を当該通信端末内に保存することを特徴とする。
【００２３】
上記のように構成された本発明においては、ネットワークに接続可能な通信端末に、カラー診断を行うための条件が入力されると、この条件がネットワークを介してサーバに送信され、サーバのカラー診断手段において、通信端末に入力され、ネットワークを介して送信されてきた条件に合った系統の色が判断され、その後、カラー診断手段にて判断された系統の色を示す情報がネットワークを介して通信端末に送信され、通信端末内に保存される。
【００２４】
このように、ネットワークに接続可能な通信端末に、カラー診断を行うための条件を入力するだけで、この条件に合った系統の色を示す情報が通信端末に送信されてくるので、手軽にカラーコーディネートを受けることができ、さらに、通信端末に送信されてきた情報が通信端末内に保存されるので、時間や場所に制限なく、カラーコーディネートを受けることができる。
【発明の効果】
【００２５】
以上説明したように本発明は、ネットワークに接続可能な通信端末に、カラー診断を行うための条件を入力するだけで、この条件に合った系統の色を示す情報が通信端末に送信されてくる構成としたため、手軽にカラーコーディネートを受けることができ、さらに、通信端末に送信されてきた情報が通信端末内に保存される構成とすることで、時間や場所に制限なく、カラーコーディネートを受けることができる。
【００２６】
また、条件にあった系統の色と有する商品情報が通信端末に送信されるものにおいては、ユーザに合った商品情報を提供することができる。
【発明を実施するための最良の形態】
【００２７】
以下に、本発明の実施の形態について図面を参照して説明する。
【００２８】
図１は、本発明のカラー診断システムの実施の一形態を示すブロック図であり、また、図２は、図１に示したサーバ３の構成を示す図である。
【００２９】
本形態は図１に示すように、公衆電話網およびインターネットを含むネットワーク２に接続可能な通信端末である携帯電話１と、ネットワーク２に接続可能に構成され、携帯電話１に入力された条件に基づいてカラー診断を行い、色見本や商品情報等を提供するサーバ３とから構成されている。なお、携帯電話１は、サーバ３からネットワーク２経由で配布される情報や色見本、商品情報を保存、画面表示するためのアプリケーションを有する。
【００３０】
また、サーバ３は図２に示すように、会員登録されたユーザに関する情報を会員情報データベース４１として登録して管理する会員情報管理部３２と、カラーコーディネートを行う予約日時を予約情報データベース４２に登録して管理する予約管理部３３と、カラーコーディネートを行うために必要となる質問事項を質問情報データベース４３として管理する質問情報管理部３４と、質問情報管理部３４にて管理される質問事項に対する回答を条件としてこの条件に合った系統の色を判断するカラー診断部３５と、携帯電話１に配布する色見本を第1のデータベースである色見本データベース４４として管理しておき、カラー診断部３５て判断された系統の色の色見本を色見本データベース４４の中から提供する色見本管理部３６と、様々な商品情報を第2のデータベースである商品情報データベース４５として管理しておき、カラー診断部３５にて判断された系統の色を有する商品情報を商品情報データベース４５の中から提供する商品情報管理部３７と、ネットワーク２を介して携帯電話１に情報画面を送信するとともに、送信した情報画面に入力された情報を受信する送受信部３１とから構成されている。
【００３１】
以下に、上記のように構成されたカラー診断システムにおけるカラー診断方法についてフローチャートを参照して詳細に説明する。
【００３２】
図３は、図１に示したカラー診断システムにおけるカラー診断方法を説明するフローチャートである。
【００３３】
ユーザが、カラーコーディネートを受けるために、携帯電話１からネットワーク１を経由してサーバ３にアクセスすると（ステップＳ１）、会員情報管理部３２にて会員情報データベース４１に会員情報を登録するための会員情報入力画面が送受信部３１からネットワーク２を介して携帯電話１に送信される（ステップＳ２）。
【００３４】
サーバ３から送信された会員情報入力画面が携帯電話１にて受信されると、携帯電話１の表示用アプリケーションによって、受信された会員情報入力画面が表示される（ステップＳ３）。
【００３５】
その後、携帯電話１のユーザが会員登録をまだしていない場合（ステップＳ４）、会員情報入力画面にユーザの氏名等の会員情報を入力し、送信すると（ステップＳ５）、送信された会員情報がネットワーク２を介して送受信部３１にて受信され、会員情報管理部３２にてこの会員情報が会員情報データベース４１に登録される（ステップＳ６）この際、会員情報には会員番号が付与され、携帯電話１に通知される。
【００３６】
また、会員登録済みの場合は、会員情報入力画面に会員番号を入力して送信すると（ステップＳ７）、送信された会員番号が送受信部３１にて受信され（ステップＳ８）、会員番号管理部３２において、受信された会員番号が会員情報データベース４１に登録されているかどうかが判断される（ステップＳ９）。
【００３７】
会員情報管理部３２において、受信された会員番号が会員情報データベース４１に登録されていると判断された場合、予約管理部３３にて予約が行われているかどうかを確認するための予約確認画面が送受信部３１からネットワーク２を介して携帯電話１に送信される（ステップＳ１０）。
【００３８】
サーバ３から送信された予約確認画面が、携帯電話１にて受信されると、携帯電話１の表示アプリケーションによって、受信された予約確認画面が表示される（ステップＳ１１）。
【００３９】
一方、ステップＳ９において、受信された会員番号が会員情報データベース４１に登録されていないと判断された場合は、会員情報入力画面に入力された会員番号が登録されていない旨が携帯電話１に通知される（ステップＳ１２，１３）。
【００４０】
サーバ３から送信された予約確認画面が携帯電話１にて受信された後、まだ予約をしていない場合は（ステップＳ１４）、予約確認画面に予約日時を入力し、送信すると（ステップＳ１５）、送信された予約日時は、予約管理部３３においてユーザの会員番号と対応付けて予約情報データベース４２に登録される（ステップＳ１６）。
【００４１】
一方、カラーコーディネートの予約をすでにしている場合は、予約確認画面に設けられた予約済みボタンを指定すると（ステップＳ１７）、サーバ３に予約済みである旨が通知され（ステップＳ１８）、予約管理部３３において、ユーザの会員番号を用いて予約情報データベース４２から予約情報が検索される（ステップＳ１９）。なお、この際に用いられる会員番号は、ステップＳ６にて会員情報に付与したもの、あるいは、ステップＳ８にて受信したものを用いることになる。
【００４２】
その後、予約管理部３３において、予約情報データベース４２から検索された予約日時と携帯電話１からネットワーク２経由でサーバ３にアクセスしている日時とが比較され（ステップＳ２０）、両者が一致した場合、質問情報管理部３４にて質問情報データベース４３に登録して管理されている質問事項が掲載された情報画面が送受信部３１からネットワーク３を介して携帯電話１に送信される（ステップＳ２１）。ここで、送受信部３１から携帯電話１に送信される情報画面には、ユーザの肌の色、目の色や形、髪型や髪の色等の顔を構成するパーツに関しての詳細な情報や、ユーザの雰囲気等についての質問事項が掲載されている。
【００４３】
サーバ３から送信された情報画面が携帯電話１において受信されると、携帯電話１の表示用アプリケーションによって、受信された情報画面が表示される（ステップＳ２２）。
【００４４】
また、ステップＳ２０における比較において、予約情報データベース３７から検索された予約日時と携帯電話１からアクセスしている日時とが一致しない場合は、その旨がサーバ３から携帯電話１に通知される（ステップＳ２３，２４）。
【００４５】
その後、ユーザが、携帯電話１に表示された質問事項に対して回答を入力して送信すると（ステップＳ２５）、送信された回答がネットワーク２を介して送受信部３１にて受信される（ステップＳ２６）。このように、携帯電話１に表示された質問事項に対する回答を入力することにより、カラー診断のための条件を指定することになる。
【００４６】
すると、カラー診断部３５において、受信された回答に基づいてカラー診断が行われる（ステップＳ２７）。具体的には、ユーザの肌の色、目の色や形、髪型や髪の色、あるいは、ユーザの雰囲気等に応じて、これらの条件にはどのような系統の色が合うのかが判断される。すなわち、カラー診断部３５においては、ステップＳ２１にてサーバ３から送信される情報画面に掲載される質問事項に対する回答毎に、どのような系統の色が合うのかが、あらかじめカラーコーディネータによってテーブルに設定されており、このテーブルが参照されて、回答に合った系統の色が判断されることになる。
【００４７】
カラー診断部３５における診断結果は、色見本管理部３６および商品情報管理部３７に通知される。
【００４８】
すると、色見本管理部３６において、通知された診断結果に基づいて、色見本データベース４４として管理している色見本の中から、カラー診断部３５にて判断された系統の色の色見本が抽出される（ステップＳ２８）。なお、色見本データベース４４に登録された色見本にはそれぞれ、その色見本を識別可能な識別情報が付与されており、また、色見本管理部３６においては、カラー診断部３５における診断結果、すなわち色の系統毎に、その色の系統に応じて抽出されるべき色見本の識別情報が設定されており、カラー診断部３５から色見本管理部３６に診断結果が通知されると、色見本管理部３６において、通知された診断結果に応じて設定された識別情報によって識別される色見本が色見本データベース４４から抽出されることになる。
【００４９】
また、商品情報管理部３７においては、カラー診断部３５から通知された診断結果に基づいて、商品情報データベース４５として管理している商品情報の中から、カラー診断部３５にて判断された系統の色を有する商品情報が検索される（ステップＳ２９）。なお、商品情報データベース４５に登録された商品情報にはそれぞれ、その商品情報を識別可能な識別情報が付与されており、また、商品情報管理部３７においては、カラー診断部３５における診断結果、すなわち色の系統毎に、その系統の色を有する商品情報の識別情報が設定されており、カラー診断部３５から商品情報管理部３７に診断結果が通知されると、商品情報管理部３７において、通知された診断結果に応じて設定された識別情報によって識別される商品情報が商品情報データベース４５から検出されることになる。また、商品情報データベース４５は随時更新されており、これにより、最新の商品情報の中からユーザに合った商品が検索されることになる。
【００５０】
また、ステップＳ２１にてサーバ３から送信される情報画面に掲載される質問事項の中に、ユーザの年齢や、ユーザの好みの洋服のタイプや、希望する商品種別を問う質問を含めておき、これらの質問事項に対する回答に基づいて、検索する商品の種別やタイプを限定することも考えられる。
【００５１】
その後、カラー診断部３５における診断結果、すなわち判断された系統の色を示す情報と、色見本管理部３６にて色見本データベース４４から抽出された色見本と、商品情報管理部３７にて商品情報データベース４５から検索された商品情報とが、送受信部３１からネットワーク２を介して携帯電話１に送信される（ステップＳ３０）。
【００５２】
サーバ３から送信された情報がネットワーク２を介して携帯電話１にて受信されると（ステップＳ３１）、受信された診断結果、色見本および商品情報は、携帯電話１にて画像を保存するアプリケーションによって、携帯電話１のメモリ内に保存される（ステップＳ３２）。
【００５３】
なお、上述したステップＳ１０，Ｓ１１，Ｓ１４〜Ｓ２４における予約の処理については、サーバ３が輻輳したときの対処として設ける処理であって、輻輳状態が発生しなければスキップすることができる。
【００５４】
その後、ユーザが診断結果、色見本、あるいは商品情報を参照する場合は、携帯電話１の画像を表示するアプリケーションを起動させ、携帯電話１に保存された診断結果、色見本および商品情報のうち所望の情報を、携帯電話１の画面に表示させることになる。この際、携帯電話１において、保存された色見本を、サムネイル式に一覧表示し、その後、各色見本がクリックされた場合に大きな色見本情報を表示させることも考えられる。
【００５５】
このように、一度携帯電話１からネットワーク２を経由してサーバ３に接続し、カラー診断を行ってしまえば、その後、携帯電話１に保存された診断結果や色見本、あるいは診断結果に応じて提供された商品情報を、時間、場所および通信費の制限なく、また携帯電話１の通信エリア圏外でも参照することができる。
【００５６】
また、上述した質問事項に、ユーザの嗜好情報を問う質問事項を含めておけば、この質問事項に対する回答を用いてユーザの嗜好を判断し、その嗜好に応じた製品などの販売促進にも利用することもできる。その場合、例えば、コーディネート運営を行う者が、物販サイトの運営機能（ＥＣ等）を有することも考えられる。
【図面の簡単な説明】
【００５７】
【図１】本発明のカラー診断システムの実施の一形態を示すブロック図である。
【図２】図１に示したサーバの構成を示す図である。
【図３】図１に示したカラー診断システムにおけるカラー診断方法を説明するフローチャートである。
【符号の説明】
【００５８】
１    携帯電話
２    ネットワーク
３    サーバ
３１    送受信部
３２    会員情報管理部
３３    予約管理部
３４    質問情報管理部
３５    カラー診断部
３６    色見本管理部
３７    商品情報管理部
４１    会員情報データベース
４２    予約情報データベース
４３    質問情報データベース
４４    色見本データベース
４５    商品情報データベース
【図１】
2006040105.tif 000003
【図２】
2006040105.tif 000004
【図３】
2006040105.tif 000005